(57)【要約】【課題】吸収パッドの側縁部分の判別が容易な吸収パッドを提供する。【解決手段】吸収パッド１００は、吸収体２２ａと、吸収体２２ａの肌当接面側の面を被覆するように配置された表面シート１８ａと、吸収体２２ａの非肌当接面側を被覆するように配置された裏面シート２０ａと、を有する吸収性本体１４ａを備え、吸収性本体１４ａは、吸収体２２ａの両側縁において表面シート１８ａと裏面シート２０ａとが吸収体２２ａを介さずに積層されたサイドフラップ部２４ａを有するとともに、それぞれのサイドフラップ部２４ａが、表面シート１８ａの表面側に折り返されて、表面シート１８ａの表面に固定されたものであり、かつ、吸収パッド１００の肌当接面側において、表面シート１８ａの表面側に折り返されたサイドフラップ部２４ａは、表面シート１８ａと異なる色を呈する。【選択図】図２
2014188104.tif 000002
【特許請求の範囲】
【請求項１】
吸収体と、前記吸収体の肌当接面側の面を被覆するように配置された表面シートと、前記吸収体の非肌当接面側を被覆するように配置された裏面シートと、を有する吸収性本体を備え、
前記吸収性本体は、前記吸収体の両側縁において前記表面シートと前記裏面シートとが前記吸収体を介さずに積層されたサイドフラップ部を有するとともに、それぞれの前記サイドフラップ部が、前記表面シートの表面側に折り返されて、前記表面シートの表面に固定されたものであり、かつ、
前記肌当接面側において、前記表面シートの表面側に折り返された前記サイドフラップ部は、前記表面シートと異なる色を呈する、吸収パッド。
【請求項２】
前記サイドフラップ部の外周縁の少なくとも一部の形状が、曲線形状である、請求項１に記載の吸収パッド。
【請求項３】
前記サイドフラップ部は、前記吸収性本体の一端から他端に向かう長さ方向の中央部において、前記サイドフラップ部の外周縁が外側に突出する輪郭突出部を有する、請求項１又は２に記載の吸収パッド。
【請求項４】
前記表面シートの表面側に折り返された前記サイドフラップ部は、前記吸収性本体の一端から他端に向かう長さ方向の少なくとも中央部において、当該サイドフラップ部の折り返された部分の幅が広くなるように構成されたものである、請求項１〜３のいずれか一項に記載の吸収パッド。
【請求項５】
前記吸収体は、前記吸収性本体の一端から他端に向かう長さ方向の少なくとも中央部において、前記吸収体の幅が狭くなる括れ部を有するものである、請求項１〜４のいずれか一項に記載の吸収パッド。
【請求項６】
前記表面シートの表面側に折り返された前記サイドフラップ部は、前記吸収性本体の一端から他端に向かう長さ方向の少なくとも中央部の前記肌当接面側に露出する面に、デザインが描かれている、請求項１〜５のいずれか一項に記載の吸収パッド。
【請求項７】
請求項１〜６のいずれか一項に記載の吸収パッドと、
前記吸収パッドを装着するための装着領域を有するおむつ本体と、を備えた使い捨ておむつ。
【発明の詳細な説明】
【技術分野】
【０００１】
本発明は、吸収パッド、及び使い捨ておむつに関する。
【背景技術】
【０００２】
吸収性物品は、尿などの排泄液を吸収する使い捨ておむつ（例えば、テープ型おむつ、パンツ型おむつ、尿パッド等）や、経血を吸収する生理用ナプキン、おりものを吸収するおりものシートなどで利用されている。
【０００３】
近年、おむつを交換する際の労力を軽減するため、使い捨ておむつと、吸収パッド（「インナーパッド」、「尿パッド」等とも称される。）を併用することが行われている。例えば、使い捨ておむつをそのまま着用者の肌に宛がうのではなく、使い捨ておむつの表面シート側の面に吸収パッドを積層し、吸収パッドが積層された使い捨ておむつを着用者の肌に宛がう。こうすることで、着用者が排泄した場合でも吸収パッドのみを交換すれば足り、使い捨ておむつはそのまま使用することができる。したがって、排泄の度に使い捨ておむつ全体を交換する方法と比較すると、交換が容易であり、介護者の介護労力が軽減される。また、吸収パッドは使い捨ておむつよりも低廉であるため、排泄の度に使い捨ておむつ全体を交換する場合と比較して、コスト的にも有利である（例えば、特許文献１参照）。以下、吸収パッドを載置する吸収性物品を、「アウター」ということがある。
【０００４】
ところで、吸収パッドは、アウターの内面に載置した状態で用いられるため、吸収パッドがずれると、アウターからの尿漏れの原因となり易い。そこで、従来、吸収パッドは、アウターに設けられた一対の立体ギャザーの間に挟み込むようにして固定されることがあった。従来の吸収パッドには、その側縁部分にサイドフラップの無い吸収パッドと、その側縁部分にサイドフラップのある吸収パッドとがある。サイドフラップの無い吸収パッドは、その側縁部分に余分な延出部（サイドフラップ）がないため、テープ型やパンツ型のアウターの立体ギャザー内にすっぽりと収まり、収納に関する利便性がよい。
【先行技術文献】
【特許文献】
【０００５】
【特許文献１】特開２０００−１３９９８２号公報
【発明の概要】
【発明が解決しようとする課題】
【０００６】
しかしながら、サイドフラップの無い吸収パッドは、吸収パッドの側縁部分が目立ち難いため、吸収パッドのアウターへの装着及びアウターからの取り外し（以下、「吸収パッドの交換」ともいう）に手間を要することがある。例えば、吸収パッドの交換を介護者が行う介護現場においては、多忙な介護者にとって、吸収パッドの交換に手間を要することは問題となっていた。特に、介護者は、夜間の交換時等の明かりの少ない又は薄暗い環境で吸収パッドの交換を行うことがあり、吸収パッドの側縁部分の判別がより困難になることがある。
【０００７】
本発明は、前記のような従来技術の有する課題に鑑みてなされたものである。即ち、本発明は、吸収パッドの側縁部分の判別が容易な吸収パッド、及びこのような吸収パッドを備えた使い捨ておむつを提供する。
【課題を解決するための手段】
【０００８】
本発明によれば、以下の吸収パッド、及び使い捨ておむつが提供される。
【０００９】
［１］  吸収体と、前記吸収体の肌当接面側の面を被覆するように配置された表面シートと、前記吸収体の非肌当接面側を被覆するように配置された裏面シートと、を有する吸収性本体を備え、前記吸収性本体は、前記吸収体の両側縁において前記表面シートと前記裏面シートとが前記吸収体を介さずに積層されたサイドフラップ部を有するとともに、それぞれの前記サイドフラップ部が、前記表面シートの表面側に折り返されて、前記表面シートの表面に固定されたものであり、かつ、前記肌当接面側において、前記表面シートの表面側に折り返された前記サイドフラップ部は、前記表面シートと異なる色を呈する、吸収パッド。
【００１０】
［２］  前記サイドフラップ部の外周縁の少なくとも一部の形状が、曲線形状である、前記［１］に記載の吸収パッド。
【００１１】
［３］  前記サイドフラップ部は、前記吸収性本体の一端から他端に向かう長さ方向の中央部において、前記サイドフラップ部の外周縁が外側に突出する輪郭突出部を有する、前記［１］又は［２］に記載の吸収パッド。
【００１２】
［４］  前記表面シートの表面側に折り返された前記サイドフラップ部は、前記吸収性本体の一端から他端に向かう長さ方向の少なくとも中央部において、当該サイドフラップ部の折り返された部分の幅が広くなるように構成されたものである、前記［１］〜［３］のいずれかに記載の吸収パッド。
【００１３】
［５］  前記吸収体は、前記吸収性本体の一端から他端に向かう長さ方向の少なくとも中央部において、前記吸収体の幅が狭くなる括れ部を有するものである、前記［１］〜［４］のいずれかに記載の吸収パッド。
【００１４】
［６］  前記表面シートの表面側に折り返された前記サイドフラップ部は、前記吸収性本体の一端から他端に向かう長さ方向の少なくとも中央部の前記肌当接面側に露出する面に、デザインが描かれている、前記［１］〜［５］のいずれかに記載の吸収パッド。
【００１５】
［７］  前記［１］〜［６］のいずれかに記載の吸収パッドと、前記吸収パッドを装着するための装着領域を有するおむつ本体と、を備えた使い捨ておむつ。
【発明の効果】
【００１６】
本発明の吸収パッドの吸収性本体は、吸収体の両側縁において表面シートと裏面シートとが吸収体を介さずに積層されたサイドフラップ部を有するとともに、それぞれのサイドフラップ部が、表面シートの表面側に折り返されて、表面シートの表面に固定されたものである。そして、本発明の吸収パッドにおいては、肌当接面側において、表面シートの表面側に折り返されたサイドフラップ部は、表面シートと異なる色を呈する。このように構成された吸収パッドは、吸収パッドの側縁部分の判別が容易となる。このため、テープ型やパンツ型のアウターに対して、吸収パッドの交換を容易に行うことができる。また、このような吸収パッドは、アウターの立体ギャザー内にすっぽりと収まり、収納に関する利便性がよい。更に、サイドフラップがないことから、吸収パッドの幅に対して、より広い幅の吸収体を使用することができる。
【００１７】
本発明の使い捨ておむつは、上述した吸収パッドと、この吸収パッドを装着するための装着領域を有するおむつ本体と、を備えたものであるため、おむつ本体からの吸収パッドの取り外しを容易に行うことができる。
【図面の簡単な説明】
【００１８】
【図１】本発明の吸収パッドの実施形態１を模式的に示す平面図である。
【図２】図１に示す吸収パッドのＡ−Ａ’断面を模式的に示す断面図である。
【図３】図１に示す吸収パッドの、サイドフラップ部を表面シートの表面側に折り返す前の状態を模式的に示す平面図である。
【図４】本発明の吸収パッドの実施形態２を模式的に示す平面図である。
【図５】図４に示す吸収パッドのＢ−Ｂ’断面を模式的に示す断面図である。
【図６】図４に示す吸収パッドのＣ−Ｃ’断面を模式的に示す断面図である。
【図７】図４に示す吸収パッドの、サイドフラップ部を表面シートの表面側に折り返す前の状態を模式的に示す平面図である。
【図８】本発明の吸収パッドの実施形態３を模式的に示す平面図である。
【図９】本発明の吸収パッドの実施形態４を模式的に示す平面図である。
【図１０】図９に示す吸収パッドのＤ−Ｄ’断面を模式的に示す断面図である。
【図１１】本発明の吸収パッドの実施形態５を模式的に示す平面図である。
【図１２】本発明の使い捨ておむつの実施形態を模式的に示す平面図である。
【発明を実施するための形態】
【００１９】
以下、本発明の吸収パッド、及び使い捨ておむつを実施するための形態について具体的に説明する。
【００２０】
［実施形態１］
以下、本発明の吸収パッドの実施形態１について、図面を用いて説明する。図１、図２及び図３に示すように、実施形態１の吸収パッド１００は、吸収体２２ａと、吸収体２２ａの肌当接面側の面を被覆するように配置された表面シート１８ａと、吸収体２２ａの非肌当接面側を被覆するように配置された裏面シート２０ａと、を有する吸収性本体１４ａを備えたものである。この吸収性本体１４ａは、吸収体２２ａの両側縁において表面シート１８ａと裏面シート２０ａとが吸収体２２ａを介さずに積層されたサイドフラップ部２４ａを有する。そして、それぞれのサイドフラップ部２４ａが、表面シート１８ａの表面側に折り返されて、表面シート１８ａの表面に固定されている。更に、実施形態１の吸収パッド１００においては、肌当接面（すなわち、図１に示される吸収パッド１００の表面）側において、表面シート１８ａの表面側に折り返されたサイドフラップ部２４ａは、表面シート１８ａと異なる色を呈する。
【００２１】
このように構成された吸収パッド１００は、サイドフラップ部２４ａが、表面シート１８ａと異なる色を呈するため、吸収パッド１００の側縁部分の判別が容易となる。このため、テープ型やパンツ型のアウターに対して、吸収パッド１００の交換を容易に行うことができる。また、このような吸収パッド１００は、アウターの立体ギャザーを上から押しつぶすことなく、一対の立体ギャザーの内側にすっぽりと収まり、収納に関する利便性がよい。更に、この吸収パッド１００は、吸収性本体１４ａの側縁からサイドフラップ部２４ａが側方に広がっていないため、吸収パッド１００の幅に対して、より広い幅の吸収体２２ａを使用することができる。すなわち、吸収パッド１００を、アウターの立体ギャザー内に収納するためには、アウターの立体ギャザー相互間に収まるように、吸収パッド１００の幅が決められる。したがって、吸収性本体１４ａの側縁からサイドフラップ部２４ａが側方に広がっていると、サイドフラップ部２４ａの幅の分だけ、吸収体２２ａの幅が狭くなってしまう。
【００２２】
本発明において、「異なる色」とは、目視にて色の違いを認識できる２種以上の色のことをいう。この「異なる色」における２種以上の色には、色相が異なる色のみでなく、彩度が異なる色や、明度が異なる色も含まれる。したがって、吸収パッド１００においては、吸収パッド１００の肌当接面側を目視した際に、「サイドフラップ部２４ａの色」と、「表面シート１８ａの色」とを違いを判別し、表面シート１８ａの表面側に折り返されたサイドフラップ部２４ａの位置を素早く認識することができる。
【００２３】
また、本明細書において、吸収パッド１００のサイドフラップ部２４ａの折り返し線が形成される側の２辺を、吸収パッド１００の側縁１００ａ，１００ｂとする。また、吸収パッド１００の一方の側縁１００ａから他方の側縁１００ｂに向かう方向を、幅方向とする。また、吸収パッド１００の幅方向に直交する方向を、長さ方向とする。
【００２４】
（１−１：サイドフラップ部）
サイドフラップ部２４ａは、表面シート１８ａと裏面シート２０ａとが吸収体２２ａを介さずに積層されたものである。図３に示すように、サイドフラップ部２４ａを表面シート１８ａの表面側に折り返す前の状態では、吸収体２２ａの両側縁から側方に延出するように構成されている。表面シート１８ａは、例えば、吸収体２２ａの表面部に配置されるトップシートと、サイドフラップ部２４ａが形成される部位に配置されるサイドシートを組み合わせた構成であってもよい。裏面シート２０ａは、例えば、少なくとも吸収体２２ａの裏面部に配置されるバックシートと、サイドフラップ部２４ａが形成される部位に配置されるカバーシートを組み合わせた構成であってもよい。サイドフラップ部２４ａは、「サイドシート」と、「バックシート及びカバーシート」とが積層されたものであってもよいし、「サイドシート」と、「カバーシート」とが積層されたものであってもよい。サイドフラップ部２４ａが、「サイドシート」と、「バックシート及びカバーシート」とが積層されたものの場合には、サイドシート、バックシート及びカバーシートの３つのシートが積層されたサイドフラップ部２４ａが、表面シート１８ａの表面側に折り返されていてもよい。また、例えば、バックシートとカバーシートとについては、サイドフラップ部２４ａにおける折り返す幅が異なっていてもよい。また、サイドフラップ部２４ａが、「サイドシート」と、「カバーシート」とが積層されたものの場合には、裏面シート２０ａとして、カバーシートのみが表面シート１８ａの表面側に折り返されてもよい。
【００２５】
図２に示すように、表面シート１８ａと裏面シート２０ａとは、接着部３２によって接合され、サイドフラップ部２４ａを構成していることが好ましい。また、表面シート１８ａの表面側に折り返されたサイドフラップ部２４ａは、表面シート１８ａの表面と、接着部３１によって接着固定されていることが好ましい。表面シート１８ａと裏面シート２０ａとを接着する方法としては、例えば、ホットメルト接着剤、その他の流動性の高い接着剤を用いた接着であってもよいし、ヒートシールのような熱や超音波等による溶着であってもよい。また、サイドフラップ部２４ａを表面シート１８ａの表面に接着する方法としては、例えば、ホットメルト接着剤、その他の流動性の高い接着剤を用いた接着であってもよいし、ヒートシールのような熱や超音波等による溶着であってもよい。
【００２６】
表面シート１８ａの色については、特に制限はないが、例えば、白、ベージュ、クリーム色、グレーなどを挙げることができる。特に、表面シート１８ａの色は、明度の高い、白、及び白に類似する色であることが、尿などの排泄物により汚染されているかどうかを判別しやすいので好ましい。
【００２７】
サイドフラップ部２４ａの色については、特に制限はなく、表面シート１８ａの色との違いを認識できる色であればよい。例えば、青、緑、ピンク、グレー、黄色などを挙げることができる。特に、青、緑、ピンクが好ましい。
【００２８】
図１に示すように、サイドフラップ部２４ａの折り返し幅ｔ１については、特に制限はなく、吸収パッド１００の幅や吸収体２２ａの幅に応じて適宜設定することができる。なお、本発明において、「吸収パッドの幅Ｔ１」とは、一方のサイドフラップ部２４ａの折り返し線から、他方のサイドフラップ部２４ａの折り返し線までの長さのことをいう。すなわち、「吸収パッドの幅Ｔ１」は、サイドフラップ部２４ａが折り返された状態における吸収パッドの幅のことである。サイドフラップ部２４ａの折り返し幅ｔ１（片方の折り返し幅ｔ１）は、吸収パッドの幅Ｔ１に対して、５〜２５％であることが好ましく、１０〜２０％であることが更に好ましい。サイドフラップ部２４ａの折り返し幅ｔ１が５％未満であると、折り返し幅ｔ１が狭すぎて、サイドフラップ部２４ａを識別し難くなることがあったり、折り返した状態で固定する際の固定手段の配置が難しくなったりすることがある。サイドフラップ部２４ａの折り返し幅ｔ１が２５％を超えると、吸収パッド１００の肌当接面の多くをサイドフラップ部２４ａが覆ってしまうこととなり、表面シート１８ａの露出する面が相対的に減少し、吸収パッド１００の表面から尿を透過させ難くなることがある。
【００２９】
サイドフラップ部２４ａは、吸収体２２ａの各側縁に沿って折り曲げられていることが好ましい。ここで「吸収体の各側縁に沿って折り曲げられている」とは、概ね吸収体の側縁と同方向に折り曲げられていることを意味する。ただし、吸収体の側縁は、吸収パッド１００の外縁形状と、同一又は相似形状でなく、例えば、使い捨ておむつ（別言すれば、アウター）の脚周り開口部に沿って曲線的に形成される場合もある。したがって、必ずしも吸収体の側縁に接するように折り曲げられている必要はなく、更に、吸収体の側縁と同一の軌跡を描くように折り曲げられている必要もない。通常は、吸収体の形状に拘らず、吸収パッドの長手方向に沿って直線的に折り曲げられていることが多い。
【００３０】
（１−２．吸収性本体）
吸収性本体１４ａは、複数のシートが吸収体２２ａを挟持した状態で積層されたものである。実施形態１の吸収パッド１００においては、表面シート１８ａと裏面シート２０ａとが吸収体２２ａを挟持した状態で積層された吸収性本体１４ａを備えている。すなわち、吸収体２２ａは、着用者の肌に当接する面（肌当接面）側から液透過性の表面シート１８ａによって被覆され、反対側の肌非当接面側から液不透過性の裏面シート２０ａによって被覆されている。したがって、尿などの液体は、表面シート１８ａを透過して、吸収体２２ａに吸収保持され、液透過性の裏面シート２０ａによって外部への漏出が阻止される。
【００３１】
これまでに説明したように、吸収性本体１４ａは、吸収体２２ａの両側縁において表面シート１８ａと裏面シート２０ａとが吸収体２２ａを介さずに積層されたサイドフラップ部２４ａを有し、このサイドフラップ部２４ａが、表面シート１８ａの表面側に折り返されて、表面シート１８ａの表面に固定されている。
【００３２】
（１−３．吸収体）
吸収体２２ａは、着用者の尿を吸収し保持するための部材である。吸収体２２ａは、着用者の尿や体液を吸収し保持するために、吸収性材料によって構成される。吸収性材料としては、例えば、フラッフパルプ、高吸水性ポリマー（Ｓｕｐｅｒ  Ａｂｓｏｒｂｅｎｔ  Ｐｏｌｙｍｅｒ；「ＳＡＰ」）、親水性シート等を採用することができる。フラッフパルプの例は、木材パルプや非木材パルプを綿状に解繊したものである。高吸水性ポリマーの例は、ポリアクリル酸ナトリウムである。親水性シートとしては、例えば、ティシュ、吸収紙、親水化処理を行った不織布を用いることができる。
【００３３】
吸収体２２ａは、表面シート１８ａと裏面シート２０ａの間に挟み込まれ、両シートの周縁部が封着されることによって、表面シート１８ａと裏面シート２０ａとの間に封入される。そして、吸収体２２ａの両側縁から延出した表面シート１８ａ及び裏面シート２０ａによって、サイドフラップ部２４ａが形成される。吸収体２２ａの形状は、図示された形状に制限されるものではなく、例えば、矩形状、ひょうたん型、Ｔ字型とすることができる。図１〜図３に示す吸収パッド１００では、吸収体２２ａとして矩形状の吸収体を採用している。
【００３４】
（１−４．表面シート）
表面シート１８ａは、吸収体２２ａの肌当接面側を被覆するように配置される液透過性のシートである。表面シート１８ａは、尿などの液体を、その下面側に配置された吸収体２２ａに浸透させる。
【００３５】
表面シート１８ａを構成する液透過性材料として、例えば、織布、不織布、多孔性フィルを採用することができる。特に、ポリプロピレン、ポリエチレン、ポリエステル、ナイロンのような熱可塑性樹脂からなる不織布に親水化処理を施したものを用いることが好ましい。
【００３６】
表面シート１８ａは、単一のシート材によって構成されていてもよいが、複数のシート材によって構成されていてもよい。例えば、吸収体の表面部に配置されるトップシートと、サイドフラップの部分に配置される撥水性のサイドシートを組み合わせた構成であってもよい。
【００３７】
（１−５．裏面シート）
裏面シート２０ａは、吸収体２２ａを肌非当接面側から被覆するように配置される液不透過性のシートである。裏面シート２０ａは、吸収体２２ａにより保持されている液体が、吸収パッド１００の外に漏洩してしまうことを防止する。
【００３８】
裏面シート２０ａを構成する液不透過性材料としては、例えば、ポリエチレン等の樹脂からなる液不透過性フィルム等を採用することができる。透湿性を付与した微多孔性ポリエチレンフィルムを用いてもよい。また、裏面シート２０ａの外表面には、裏面シート２０ａを補強し、その手触りを良くするために、カバーシートを貼り合わせることとしてもよい。例えば、裏面シート２０ａは、少なくとも吸収体２２ａの裏面部に配置されるバックシートと、サイドフラップの部分に配置されるカバーシートを組み合わせた構成であってもよい。カバーシートを形成する材料としては、例えば、ポリエチレン、ポリプロピレン、ポリエステルのような熱可塑性樹脂からなる不織布、又は湿式不織布を用いることができる。特に、本実施形態の吸収パッド１００においては、上述したバックシート及びカバーシートを、サイドフラップ部２４ａが形成される領域まで延出させ、表面シート１８ａの表面側に折り返されたサイドフラップ部２４ａにおいて、バックシート及びカバーシート（具体的には、バックシート及びカバーシートの裏面）が肌当接面側の面を構成していることが好ましい。このように構成することによって、サイドフラップ部２４ａの肌当接面側の色を、所望の色に色づけし易くなる。すなわち、バックシート及びカバーシートとして、その裏面の色が、表面シート１８ａの色と異なるものを用いることによって、サイドフラップ部２４ａを表面シート１８ａの表面側に折り返すだけで、表面シート１８ａとは異なる色を呈するサイドフラップ部２４ａを容易に形成することができる。なお、バックシート及びカバーシートの折り返す幅は、それぞれのシートごとに異なっていてもよい。更に、サイドフラップの部分にカバーシートのみを配置させて、裏面シート２０ａとしてカバーシートのみを折り返してもよい。
【００３９】
［実施形態２］
以下、本発明の吸収パッドの実施形態２について、図４〜図７を参照しつつ説明する。図４は、本発明の吸収パッドの実施形態２を模式的に示す平面図である。図５は、図４に示す吸収パッドのＢ−Ｂ’断面を模式的に示す断面図である。図６は、図４に示す吸収パッドのＣ−Ｃ’断面を模式的に示す断面図である。図７は、図４に示す吸収パッドの、サイドフラップ部を表面シートの表面側に折り返す前の状態を模式的に示す平面図である。
【００４０】
図４、図５及び図６に示すように、実施形態２の吸収パッド２００は、吸収体２２ｂと、表面シート１８ｂと、裏面シート２０ｂと、を有する吸収性本体１４ｂを備えたものである。この吸収性本体１４ｂは、吸収体２２ｂの両側縁において表面シート１８ｂと裏面シート２０ｂとが吸収体２２ｂを介さずに積層されたサイドフラップ部２４ｂを有する。そして、それぞれのサイドフラップ部２４ｂが、表面シート１８ｂの表面側に折り返されて、表面シート１８ｂの表面に固定されている。更に、吸収パッド２００においては、肌当接面側において、表面シート１８ｂの表面側に折り返されたサイドフラップ部２４ｂは、表面シート１８ｂと異なる色を呈する。
【００４１】
実施形態２の吸収パッド２００においては、吸収性本体１４ｂの吸収体２２ｂとして、砂時計型の吸収体２２ｂを用いている。すなわち、吸収体２２ｂは、吸収性本体１４ｂの一端から他端に向かう長さ方向の中央部において、吸収体２２ｂの幅が狭くなる括れ部分を有している。このように、吸収パッド２００の吸収体２２ｂは、種々の形状（例えば、異型）のものを用いることができる。砂時計型のような吸収体２２ｂを用いることにより、着用者の身体にフィットし易くなり、尿漏れなどの発生を有効に抑制することができる。また、このような吸収体２２ｂを用いることにより、股下部における違和感が生じ難くなり、吸収パッド２００の装着感が向上する。
【００４２】
実施形態２の吸収パッド２００においては、サイドフラップ部２４ｂの外周縁の少なくとも一部の形状が、曲線形状である。このように、サイドフラップ部２４ｂの外周縁の少なくとも一部の形状を曲線形状とすることで、吸収パッド２００全体の形状イメージに丸みを持たせることができる。このため、吸収パッド２００の見た目が柔らかなものとなり、着用者や介護者が吸収性物品を用いる際に、安心して使用することができる。特に、介護者や育児を行う保護者に対して心理的安心感を与えることができる。
【００４３】
サイドフラップ部２４ｂは、吸収性本体１４ｂの一端から他端に向かう長さ方向の中央部において、サイドフラップ部２４ｂの外周縁が外側に突出する輪郭突出部２５ｂを有する。なお、サイドフラップ部２４ｂは、表面シート１８ｂの表面側に折り返されているため、上記「サイドフラップ部２４ｂの外周縁」は、折り返された２つのサイドフラップ部２４ｂの互いに向かい合う辺に相当する。したがって、表面シート１８ｂの表面側に折り返されている２つのサイドフラップ部２４ｂにおいては、２つのサイドフラップ部２４ｂの外周縁が、吸収性本体１４ｂの内側に向かって突出している状態となっている。
【００４４】
輪郭突出部２５ｂが形成される位置については、特に制限はない。実施形態２の吸収パッド２００においては、砂時計型の吸収体２２ｂの幅が狭くなる括れ部分に合わせて、サイドフラップ部２４ｂが輪郭突出部２５ｂを有している。このように構成することにより、吸収パッド２００の着用者、又は吸収パッド２００の交換を行う介護者が、吸収体２２ｂの形状を認識し易くなる。上述したように、砂時計型のような異型の吸収体２２ｂは装着感が優れているため、吸収パッド２００を使用する際や吸収パッド２００を購入する際に、心理的安心感をより与え易くなる。また、吸収体のくびれの位置が認識しやすくなるので、吸収体のくびれ位置を着用者の股下部の適切な位置にセットしやすくなる。更に、折り返されるサイドフラップ部２４ｂの面積を大きくして、視認性を向上させることができるとともに、尿を実質的に吸収可能な表面シート１８ｂの有効面積が減少してしまうことも有効に抑制することができる。
【００４５】
また、表面シート１８ｂの表面側に折り返されたサイドフラップ部２４ｂは、吸収性本体１４ｂの一端から他端に向かう長さ方向の少なくとも中央部において、当該サイドフラップ部２４ｂの折り返された部分の幅が広くなるように構成されたものであることが好ましい。吸収性本体１４ｂの一端から他端に向かう長さ方向の少なくとも中央部は、通常、吸収パッド２００の使用状態において、着用者の股下部に宛がわれる部位であり、上記構成を採用することにより、股下部における違和感が生じ難くなり、吸収パッド２００の装着感が向上する。また、尿漏れも生じ難くなる。
【００４６】
サイドフラップ部２４ｂの外周縁の形状は、吸収体２２ｂの輪郭線に近い形状であることが好ましく、この吸収体２２ｂの輪郭線に合わせて、上記輪郭突出部２５ｂを有することが更に好ましい。ただし、例えば、吸収体２２ｂの形状が矩形（すなわち、吸収体２２ｂの側縁が直線状）の場合でも、サイドフラップ部２４ｂが、輪郭突出部２５ｂを有していてもよい。
【００４７】
なお、これまでに説明したように、実施形態２の吸収パッド２００は、吸収性本体１４ｂの吸収体２２ｂ、及びサイドフラップ部２４ｂの形状が、図１〜図３に示す実施形態１の吸収パッド１００と異なっているが、吸収性本体１４ｂを構成する各構成要素（すなわち、表面シート１８ｂ、吸収体２２ｂ、及び裏面シート２０ｂ）の材質や色については、実施形態１の吸収パッドの吸収性本体と同様に構成することができる。
【００４８】
［実施形態３］
以下、本発明の吸収パッドの実施形態３について、図８を参照しつつ説明する。図８は、本発明の吸収パッドの実施形態３を模式的に示す平面図である。
【００４９】
図８に示すように、実施形態３の吸収パッド３００は、吸収体２２ｃと、表面シート１８ｃと、裏面シート２０ｃと、を有する吸収性本体１４ｃを備えたものである。この吸収性本体１４ｃは、吸収体２２ｃの両側縁において表面シート１８ｃと裏面シート２０ｃが吸収体２２ｃを介さずに積層されたサイドフラップ部２４ｃを有する。そして、それぞれのサイドフラップ部２４ｃが、表面シート１８ｃの表面側に折り返されて、表面シート１８ｃの表面に固定されている。更に、吸収パッド３００においては、肌当接面側において、表面シート１８ｃの表面側に折り返されたサイドフラップ部２４ｃは、表面シート１８ｃと異なる色を呈する。
【００５０】
実施形態３の吸収パッド３００においても、吸収性本体１４ｃの吸収体２２ｃとして、砂時計型の吸収体２２ｃを用いている。更に、実施形態３の吸収パッド３００においては、サイドフラップ部２４ｃは、吸収性本体１４ｃの一端側の一端部、吸収性本体１４ｃの他端側の他端部、及び吸収性本体１４ｃの一端から他端に向かう長さ方向の中央部の３箇所に、それぞれ輪郭突出部２５ｃを有する。このように構成することによって、吸収パッド３００の肌当接面側において、サイドフラップ部２４ｃの外周縁により、表面シート１８ｃがひょうたん型に外部に露出している。サイドフラップ部２４ｃの輪郭突出部２５ｃは、吸収性本体１４ｃの一端側（例えば、着用者の背側）や、吸収性本体１４ｃの他端側（例えば、着用者の腹側）に設けてもよい。更に、吸収性本体１４ｃの一端側寄り又は他端側寄りに、その位置をずらして、輪郭突出部２５ｃを設けてもよい。
【００５１】
実施形態３の吸収パッド３００においては、砂時計型の吸収体２２ｃの幅が狭くなる括れ部分に、脚部周り伸縮材４０を伸長状態で配置している。脚部周り伸縮材４０を配置することにより、脚部周り伸縮材４０の収縮力を利用してギャザーが形成される。これにより、脚部周り伸縮材４０を配置した部分に隙間が形成され難くなり、尿漏れを効果的に防止することができる。
【００５２】
実施形態３の吸収パッド３００において、吸収性本体１４ｃを構成する各構成要素（すなわち、表面シート１８ｃ、吸収体２２ｃ、及び裏面シート２０ｃ）の材質や色については、実施形態１の吸収パッドの吸収性本体と同様に構成することができる。
【００５３】
［実施形態４］
以下、本発明の吸収パッドの実施形態４について、図９及び図１０を参照しつつ説明する。図９は、本発明の吸収パッドの実施形態４を模式的に示す平面図である。図１０は、図９に示す吸収パッドのＤ−Ｄ’断面を模式的に示す断面図である。
【００５４】
図９及び図１０に示すように、実施形態４の吸収パッド４００は、吸収体２２ｄと、表面シート１８ｄと、裏面シート２０ｄと、を有する吸収性本体１４ｄを備えたものである。この吸収性本体１４ｄは、吸収体２２ｄの両側縁において表面シート１８ｄと裏面シート２０ｄが吸収体２２ｄを介さずに積層されたサイドフラップ部２４ｄを有する。そして、それぞれのサイドフラップ部２４ｄが、表面シート１８ｄの表面側に折り返されて、表面シート１８ｄの表面に固定されている。更に、吸収パッド４００においては、肌当接面側において、表面シート１８ｄの表面側に折り返されたサイドフラップ部２４ｄは、表面シート１８ｄと異なる色を呈する。
【００５５】
実施形態４の吸収パッド４００においては、吸収性本体１４ｄの吸収体２２ｄ、及びサイドフラップ部２４ｄは、実施形態３の吸収パッド３００と同様に構成されている。すなわち、サイドフラップ部２４ｄは、吸収性本体１４ｄの一端側の一端部、吸収性本体１４ｄの他端側の他端部、及び吸収性本体１４ｄの一端から他端に向かう長さ方向の中央部の３箇所に、それぞれ輪郭突出部２５ｄを有する。ただし、実施形態４の吸収パッド４００においては、吸収パッド４００の肌当接面側に、一対の立体ギャザー２６が配設されている。立体ギャザー２６の構成は、従来の使い捨ておむつ、その他の吸収性物品に使用される構成を採用することができる。例えば、撥水性のシート材２７の一部に伸縮材（立体ギャザー伸縮材２８）を配置し、その立体ギャザー伸縮材２８によってシート材２７にギャザー（襞）を形成したもの等を好適に用いることができる。実施形態４の吸収パッド４００における一対の立体ギャザー２６は、サイドフラップ部２４ｄを、表面シート１８ｄに固定する接着部３１に、立体ギャザー２６を形成するシート材２７を挟み込んで固定し、このシート材２７の先端に、伸張状態の立体ギャザー伸縮材２８が挟み込まれて固定された構造のものである。このような構造とすれば、サイドフラップ部２４ｄの外周縁を、立体ギャザー２６の起立線として、立体ギャザー伸縮材２８の収縮力によって立体ギャザー２６が立体的に起立する。
【００５６】
実施形態４の吸収パッド４００において、吸収性本体１４ｄを構成する各構成要素（すなわち、表面シート１８ｄ、吸収体２２ｄ、及び裏面シート２０ｄ）の材質や色については、実施形態１の吸収パッドの吸収性本体と同様に構成することができる。
【００５７】
［実施形態５］
以下、本発明の吸収パッドの実施形態５について、図１１を参照しつつ説明する。図１１は、本発明の吸収パッドの実施形態５を模式的に示す平面図である。
【００５８】
図１１に示すように、実施形態５の吸収パッド５００は、吸収体２２ｅと、表面シート１８ｅと、裏面シート２０ｅと、を有する吸収性本体１４ｅを備えたものである。この吸収性本体１４ｅは、吸収体２２ｅの両側縁において表面シート１８ｅと裏面シート２０ｅが吸収体２２ｅを介さずに積層されたサイドフラップ部２４ｅを有する。そして、それぞれのサイドフラップ部２４ｅが、表面シート１８ｅの表面側に折り返されて、表面シート１８ｅの表面に固定されている。更に、吸収パッド５００の肌当接面側において、表面シート１８ｅの表面側に折り返されたサイドフラップ部２４ｅは、表面シート１８ｅと異なる色を呈する。特に、表面シート１８ｅの表面側に折り返されたサイドフラップ部２４ｅは、吸収性本体１４ｅの一端から他端に向かう長さ方向の少なくとも中央部の肌当接面側に露出する面に、デザイン２９が描かれている。図１１においては、サイドフラップ部２４ｅの輪郭突出部２５ｅに、デザイン２９が描かれている。このように構成することによって、サイドフラップ部２４ｅがより目立ちやすくなる。また、吸収パッド５００のサイズなどの違いにより、吸収パッド毎にデザインの種類を変えることにより、着用者及び介護者が、使用する吸収パッドを選択し易くなる。また、吸収パッドの取り違えなどを防止することもできる。更に、このようなデザインを配することで、吸収パッド５００の趣向性を高めることもできる。
【００５９】
サイドフラップ部２４ｅに描かれるデザイン２９は、ロゴマークやロゴタイプのようなものであってもよいし、例えば、花柄、動物、植物等の図案、各種キャラクター、文字、記号等であってもよい。図１１においては、花柄のデザイン２９が、サイドフラップ部２４ｅに描かれている。なお、このデザイン２９は、サイドフラップ部２４ｅの、吸収性本体１４ｅの一端から他端に向かう長さ方向の少なくとも中央部の肌当接面側に露出する面に描かれていることが好ましいが、サイドフラップ部２４ｅの肌当接面側に露出する面であれば、中央部以外に描かれていてもよい。更に、このデザイン２９は、サイドフラップ部２４ｅの肌当接面側に露出する面全域に描かれていてもよい。
【００６０】
なお、サイドフラップ部には、上述したデザイン以外に、例えば、線（ライン）を描いたり、所定の領域に対して色付けを行ったりすることもできる。例えば、サイドフラップ部に、このサイドフラップ部の輪郭線を強調するための強調線などを描いてもよい。また、サイドフラップ部に対して、ストライプなどの所望の柄を付してもよい。また、サイドフラップ部の所定の領域を強調するために、所定箇所（例えば、輪郭突出部など）に対して、特定の色を付す印刷などを行ってもよい。更に、例えば、輪郭突出部を有していないサイドフラップ部に対して、この輪郭突出部を連想させるような線（ライン）や色分けを施すことにより、視覚的に上記輪郭突出部を表現することもできる。
【００６１】
実施形態５の吸収パッド５００は、上記デザイン２９が、サイドフラップ部２４ｅの肌当接面側に露出する面に描かれている以外は、実施形態１の吸収パッドと同様に構成されている。ただし、これまでに説明した実施形態２〜４の吸収パッドのサイドフラップ部の肌当接面側に露出する面に、上記したデザインを描いてもよい。実施形態５の吸収パッド５００において、吸収性本体１４ｅを構成する各構成要素（すなわち、表面シート１８ｅ、吸収体２２ｅ、及び裏面シート２０ｅ）の材質などについては、実施形態１の吸収パッドの吸収性本体と同様に構成することができる。
【００６２】
［吸収パッドの製造方法］
以下、本発明の吸収パッドの製造方法の全体の流れを説明する。ここでは、図１〜図３に示す吸収パッド１００の製造方法について説明するが、吸収パッドの製造方法については、以下の製造方法に限定されることはない。
【００６３】
まず、裏面シート２０ａの材料となる長尺の裏面シート材の上面に、吸収体２２ａを載置する。そして、これらの更に上面に、表面シート１８ａの材料となる長尺の表面シート材を載置する。これにより、吸収性本体が連続して連なる吸収性本体中間体が作製される。吸収体２２ａの両側縁には、表面シート材と裏面シート材とが吸収体を介さずに積層されたサイドフラップ部を形成する。
【００６４】
吸収性本体中間体を作製する際には、表面シート材として、センターシート（トップシート）に相当する表面シート材と、サイドシートに相当する表面シート材の２種類を使用することが好ましい。また、裏面シート材として、バックシートに相当する裏面シート材と、カバーシートに相当する裏面シート材の２種類を使用することが好ましい。上記サイドシートに相当する表面シート材と、バックシート及びカバーシートに相当する裏面シート材とによって、サイドフラップ部を形成することが好ましい。なお、バックシートの幅とカバーシートの幅とが異なっていてもよい。このようにすると、バックシート及びカバーシートの折り返す幅が、それぞれのシートごとに異なるものとなる。更に、バックシートとして、吸収体の幅と同程度のものを用い、バックシートのみが、サイドフラップ部として折り返されるようなものとしてもよい。また、裏面シート材として、サイドフラップ部における裏面シート材の裏面（吸収体２２ａを載置する面と反対側の面）側の色が、表面シート材の色と異なるものを用いることが好ましい。
【００６５】
次に、吸収性本体中間体の両側縁から延出するサイドフラップ部を、表面シート材の表面側に折り返し、折り返したサイドフラップ部を表面シート材の表面に固定する。固定する方法については特に制限はなく、例えば、ホットメルト接着剤、その他の流動性の高い接着剤を用いた接着であってもよいし、ヒートシールのような熱や超音波等による溶着であってもよい。
【００６６】
次に、サイドフラップ部を折り返して固定した吸収性本体中間体を、所定の長さで切断して、本発明の吸収パッドを製造する。また、吸収性本体中間体を切断する前、又は切断した後に、表面シート材の表面側に折り返されたサイドフラップ部に、表面シート材と異なる色を呈するように着色を行ってもよい。以上のようにして、本発明の吸収パッドを製造することができる。
【００６７】
［実施形態６］
次に、本発明の使い捨ておむつの実施形態（実施形態６）について説明する。実施形態６の使い捨ておむつは、これまでに説明した本発明の吸収パッドと、この吸収パッドを装着するための装着領域を有するおむつ本体と、を備えた使い捨ておむつである。以下、実施形態６の使い捨ておむつとして、実施形態１の吸収パッドと、上記おむつ本体と、を備えた使い捨ておむつについて、図面を用いて説明する。ここで、図１２は、本発明の使い捨ておむつの実施形態を模式的に示す平面図である。
【００６８】
図１２に示すように、実施形態６の使い捨ておむつ６００は、吸収パッド１００と、吸収パッド１００を装着するための装着領域９１を有するおむつ本体９０と、を備えたものである。ここで、吸収パッド１００は、図１〜図３に示される吸収パッド１００（実施形態１の吸収パッド）と同様に構成されたものであり、実施形態１の吸収パッド１００と同一の構成要素については、同一の符号を付し、その説明を省略することがある。おむつ本体９０は、装着領域９１の各側縁に沿って配置された一対の立体ギャザー９６を更に有している。一対の立体ギャザー９６は、着用者の排泄した尿などがおむつ本体９０の外部へ漏出することを防止するための防漏壁として機能する部材である。この一対の立体ギャザー９６の間に形成された装着領域９１に、吸収パッド１００が装着（載置）される。ただし、おむつ本体９０の構成については、図１２に示す構成に限定されることはなく、これまでに説明した本発明の吸収パッドを装着可能に構成されたものであればよい。以下、図１２に示すおむつ本体９０の構成について説明する。
【００６９】
おむつ本体９０は、一対の立体ギャザー９６を有する第二吸収性本体１１４と、止着テープ１１０と、フロントパッチ１３０と、を備えたものである。この第二吸収性本体１１４に、一対の立体ギャザー９６の間に装着領域９１を有している。止着テープ１０は、第二吸収性本体１１４の後身頃６の左右の各側縁６ａ，６ｂから延出するように配設されている。フロントパッチ１３０は、止着テープ１１０を取り付けるためのものであり、第二吸収性本体１１４の前身頃２の肌非当接面側に配設されている。
【００７０】
図１２に示す使い捨ておむつ６００は、止着テープ１１０及びフロントパッチ１３０を備えたテープ型使い捨ておむつであるが、本発明の使い捨ておむつは、このようなテープ型使い捨ておむつに限定されることはない。例えば、本発明の使い捨ておむつは、パンツ型の使い捨ておむつであってもよい。本明細書中において「テープ型使い捨ておむつ」とは、図１２に示すように、止着テープ１１０と、フロントパッチ１３０と、を備え、その内面に吸収パッドを着脱可能に構成された使い捨ておむつのことを意味する。一方、本明細書中において「パンツ型使い捨ておむつ」とは、図示は省略するが、前身頃、股下部及び後身頃の各部から構成され、前身頃と後身頃の対応する側縁部同士が接合されて、一つのウエスト周り開口部と一対の脚周り開口部が形成された使い捨ておむつのことを意味する。このような使い捨ておむつにおいても、その内面に吸収パッドを着脱可能に構成されていれば、本発明の使い捨ておむつに適用することができる。
【００７１】
第二吸収性本体１１４は、前身頃２、股下部４、及び後身頃６から構成され、複数のシートが第二吸収体１２２を挟持した状態で積層されたものである。実施形態６の使い捨ておむつ６００においては、トップシート１１８とバックシート１２０とが第二吸収体１２２を挟持した状態で積層された第二吸収性本体１１４を備えている。このような第二吸収性本体１１４は、股下部４を中心として、後身頃６から前身頃２にかけて、第二吸収体１２２が配設されていることが好ましい。第二吸収体１２２は、着用者の肌側の面（別言すれば、吸収パッド１００が載置される面）から液透過性のトップシート１１８によって被覆され、反対側の肌非当接面側から液不透過性のバックシート１２０によって被覆されている。第二吸収体１２２の各側縁に沿って一対の立体ギャザー９６が配置されることが好ましい。一対の立体ギャザー９６は、立体ギャザー９６を形成するシート材９７の先端に、伸張状態の立体ギャザー伸縮材９８が挟み込まれて固定された構造のものである。
【００７２】
第二吸収体１２２は、着用者の尿を吸収し保持するための部材である。第二吸収体１２２は、着用者の尿や体液を吸収し保持するために、吸収性材料によって構成される。吸収性材料としては、例えば、フラッフパルプ、高吸水性ポリマー（Ｓｕｐｅｒ  Ａｂｓｏｒｂｅｎｔ  Ｐｏｌｙｍｅｒ；「ＳＡＰ」）、親水性シート等を採用することができる。フラッフパルプの例は、木材パルプや非木材パルプを綿状に解繊したものである。高吸水性ポリマーの例は、ポリアクリル酸ナトリウムである。親水性シートとしては、例えば、ティシュ、吸収紙、親水化処理を行った不織布を用いることができる。
【００７３】
第二吸収体１２２は、トップシート１１８とバックシート１２０の間に挟み込まれ、両シートの周縁部が封着されることによって、トップシート１１８とバックシート１２０との間に封入される。第二吸収体１２２の形状は、図示された形状に制限されるものではなく、例えば、矩形状、砂時計型、ひょうたん型、Ｔ字型とすることができる。図１２に示す使い捨ておむつ６００では、第二吸収体１２２として砂時計型の吸収体を採用している。
【００７４】
トップシート１１８は、第二吸収体１２２の肌当接面側を被覆するように配置される液透過性のシートである。トップシート１１８を構成する液透過性材料として、例えば、織布、不織布、多孔性フィルを採用することができる。特に、ポリプロピレン、ポリエチレン、ポリエステル、ナイロンのような熱可塑性樹脂からなる不織布に親水化処理を施したものを用いることが好ましい。トップシート１１８は、単一のシート材によって構成されていてもよいが、複数のシート材によって構成されていてもよい。例えば、第二吸収体の表面部に配置されるシートと、おむつ本体のサイドフラップの部分に配置される撥水性のシートを組み合わせた構成であってもよい。
【００７５】
バックシート１２０は、第二吸収体１２２を肌非当接面側から被覆するように配置される液不透過性のシートである。バックシート１２０は、第二吸収体１２２により保持されている液体が、おむつ外部に漏洩してしまうことを防止する。バックシート１２０を構成する液不透過性材料としては、例えば、ポリエチレン等の樹脂からなる液不透過性フィルム等を採用することができる。特に、微多孔性ポリエチレンフィルムを用いることが好ましい。この微多孔性ポリエチレンフィルムは、０．１μｍ程度の微細な孔が多数形成されており、液不透過性ではあるが透湿性を有するためおむつ内部の蒸れを防止することができるという点において好ましい。また、バックシート１２０の外表面には、バックシート１２０を補強し、その手触りを良くするために、カバーシートを貼り合わせることとしてもよい。カバーシートを形成する材料としては、例えば、ポリエチレン、ポリプロピレン、ポリエステルのような熱可塑性樹脂からなる不織布、又は湿式不織布を用いることができる。
【００７６】
使い捨ておむつ６００においては、脚部周りギャザーや、腰周りギャザーを形成することが好ましい。脚部周りギャザーは、使い捨ておむつの脚部周りの開口部から、尿などの液体が漏出する事態を防止するための部材である。脚部周りの開口部に沿って、脚部周り伸縮材１４０が伸長状態で配置され、この脚部周り伸縮材１４０の収縮力を利用して、脚部周りギャザーが形成される。これにより、脚周りに隙間が形成され難くなり、脚周り開口部からの尿漏れを効果的に防止することができる。
【００７７】
例えば、図１２に示す使い捨ておむつ６００は、おむつ本体９０の脚部周りに、おむつの長手方向（上下方向）に沿って直線的な３本の脚部周り伸縮材１４０を配置した例である。この脚部周り伸縮材１４０は、例えば、糸ゴムや平ゴムによって構成されている。脚部周り伸縮材１４０は、必ずしも直線的に配置する必要はなく、例えば、おむつの脚周り開口部のカーブに沿って曲線的に配置してもよい。
【００７８】
また、腰周りギャザーは、使い捨ておむつの腰周りの開口部からの尿漏れを防止するとともに、使い捨ておむつのフィット性を向上させ、おむつのずり下がりが防止するための部材である。腰周りの開口部にそって、腰周り伸縮材１４２が伸長状態で配置され、この腰周り伸縮材１４２の収縮力を利用して、腰周りギャザーが形成される。これにより、使い捨ておむつ６００の後身頃６が着用者の背部に密着するため、背部からの尿漏を有効に防止しつつ、フィット感を向上させることができる。
【００７９】
例えば、図１２に示す使い捨ておむつ６００は、後身頃６の端部の腰周りに相当する位置に、おむつの短手方向（左右方向）に沿って、平ゴムからなる腰周り伸縮材１４２を配置した例である。この腰周り伸縮材１４２は、脚部周り伸縮材１４０と同様に、例えば、糸ゴムや平ゴムによって構成することができる。
【００８０】
脚部周り伸縮材１４０や腰周り伸縮材１４２としては、例えば、天然ゴムや合成ゴム（ウレタンゴム等）の弾性材からなるゴム、伸縮性ネット、伸縮性フィルム、伸縮性フォーム（ウレタンフォーム等）を採用することができる。これらの、伸縮材は、おむつの他の構成部材に対して、接着剤その他の手段により固定される。固定方法としては、例えば、ホットメルト接着剤、その他の流動性の高い接着剤を用いた接着であってもよいし、ヒートシールのような熱や超音波等による溶着であってもよい。
【００８１】
以上、本発明の実施形態を説明したが、本発明はこれらに限定されるものではなく、その要旨の範囲内で様々な変形や変更が可能である。
【産業上の利用可能性】
【００８２】
本発明の吸収パッド及び使い捨ておむつは、乳幼児用又は介護を必要とする高齢者や障害者等の成人用の使い捨ておむつに適用することができる。したがって、本発明は、育児産業や介護産業等において好適に利用し得る。
【符号の説明】
【００８３】
２：前身頃、４：股下部、６：後身頃、６ａ，６ｂ：側縁、１４ａ，１４ｂ，１４ｃ，１４ｄ，１４ｅ：吸収性本体、１８ａ，１８ｂ，１８ｃ，１８ｄ，１８ｅ：表面シート、２０ａ，２０ｂ，２０ｃ，２０ｄ，２０ｅ：裏面シート、２２ａ，２２ｂ，２２ｃ，２２ｄ，２２ｅ：吸収体、２４ａ，２４ｂ，２４ｃ，２４ｄ，２４ｅ：サイドフラップ部、２５ｂ，２５ｃ，２５ｄ，２５ｅ：輪郭突出部、２６：立体ギャザー、２７：シート材、２８：立体ギャザー伸縮材、２９：デザイン、３１：接着部、３２：接着部、４０：脚部周り伸縮材、９０：おむつ本体、９１：装着領域、９６：立体ギャザー、９７：シート材、９８：立体ギャザー伸縮材、１００，２００，３００，４００，５００：吸収パッド、１００ａ，１００ｂ：側縁、１１０：止着テープ、１１４：第二吸収性本体、１３０：フロントパッチ、１１８：トップシート、１２０：バックシート、１２２：第二吸収体、１４０：脚部周り伸縮材、１４２：腰周り伸縮材、６００：使い捨ておむつ、ｔ１：サイドフラップ部の幅、Ｔ１：吸収パッドの幅。
【図１】
2014188104.tif 000003
【図２】
2014188104.tif 000004
【図３】
2014188104.tif 000005
【図４】
2014188104.tif 000006
【図５】
2014188104.tif 000007
【図６】
2014188104.tif 000008
【図７】
2014188104.tif 000009
【図８】
2014188104.tif 000010
【図９】
2014188104.tif 000011
【図１０】
2014188104.tif 000012
【図１１】
2014188104.tif 000013
【図１２】
2014188104.tif 000014